(57)【要約】【課題】  ストレーナに異物が詰まって高圧ポンプへの水の供給が不十分になっても，水源ゼロの状態で高圧ポンプを停止させるのを忘れても、停止装置が渇水信号を受けて駆動装置を停止させることにより高圧ポンプの空運転を防止でき、空運転による高圧ポンプの部分摩耗はては破損が防止できる高圧洗浄機のポンプ空運転防止機構を得る。【解決手段】  高圧ガン１と、この高圧ガン１が高圧ホース３により接続される高圧ポンプ２と、この高圧ポンプ２を駆動するためのエンジン４と、高圧ポンプ２の吸水側にあってその吸水口２ａの渇水状態をとらえるセンサー９と、このセンサー９からの渇水信号を受けてエンジン４を停止させる停止装置１０と、この停止装置１０にあって前記渇水信号を受けたときにエンジン４の始動時にはその始動を可能にするために前記渇水信号を数秒間キャンセルするためのタイマー１２とを備えてなる。【選択図】    図１
2006263628.tif 000002
【特許請求の範囲】
【請求項１】
高圧ガンと、この高圧ガンが高圧ホースにより接続される高圧ポンプと、この高圧ポンプを駆動するための駆動装置と、前記高圧ポンプの吸水側にあってその吸水口の渇水状態をとらえるセンサーと、このセンサーからの渇水信号を受けて前記駆動装置を停止させる停止装置と、この停止装置にあって前記渇水信号を受けたときに前記駆動装置の始動時にはその始動を可能にするために前記渇水信号を数秒間キャンセルするためのタイマーとを備えたことを特徴とする高圧洗浄機のポンプ空運転防止機構。
【発明の詳細な説明】
【技術分野】
【０００１】
本発明は、高圧洗浄機における高圧ポンプの空運転防止機構に関するものである。
【背景技術】
【０００２】
従来この種の高圧ポンプは、泥水等異物の混入された水を使用すると、高圧洗浄機の全般にわたって故障の原因となるために、清水使用を原則としている。
そのために、高圧ポンプの吸水側に網目の細かいストレーナを装着して、高圧ポンプへの異物混入を防いでいるのが、現状である。
また、高圧ポンプの水源がゼロ状態になると、いちいち手動操作により、高圧ポンプを停止させている。
【発明の開示】
【発明が解決しようとする課題】
【０００３】
解決しようとする問題は、ストレーナによって高圧ポンプへの異物混入が低減できるものの、網目の細かいストレーナに異物が詰まって高圧ポンプへの水の供給が不十分になったり，水源ゼロの状態で高圧ポンプを停止させるのを忘れたりすると、高圧ポンプの空運転が起こって高圧ポンプの部分摩耗はては破損につながるという点である。
【課題を解決するための手段】
【０００４】
本発明は、高圧ガンと、この高圧ガンが高圧ホースにより接続される高圧ポンプと、この高圧ポンプを駆動するための駆動装置と、前記高圧ポンプの吸水側にあってその吸水口の渇水状態をとらえるセンサーと、このセンサーからの渇水信号を受けて前記駆動装置を停止させる停止装置と、この停止装置にあって前記渇水信号を受けたときに前記駆動装置の始動時にはその始動を可能にするために前記渇水信号を数秒間キャンセルするためのタイマーとを備えたことを特徴とする。
【発明の効果】
【０００５】
本発明は、高圧ポンプの吸水側に設けたセンサーにより吸水口の渇水状態をとらえて駆動装置を停止させることができるので、ストレーナに異物が詰まって高圧ポンプへの水の供給が不十分になっても，水源ゼロの状態で高圧ポンプを停止させるのを忘れても、停止装置が渇水信号を受けて駆動装置を停止させることにより高圧ポンプの空運転を防止でき、空運転による高圧ポンプの部分摩耗はては破損が防止できるという効果がある。
【発明を実施するための最良の形態】
【０００６】
高圧ポンプの吸水側にセンサーを設け、このセンサーで吸水口の渇水状態をとらえて停止装置に渇水信号を送り、この停止装置によって駆動装置を停止させることにより、実現した。
【実施例１】
【０００７】
本発明の一実施例を図１を用いて説明する。図１は機構全体を概略装置的に示す図である。
図１において、１は高圧ガン、２は高圧ガン１が高圧ホース３により接続される高圧ポンプ、４は高圧ポンプ２を駆動するためのエンジン、５は貯水槽、６は高圧ポンプ２の吸水口２ａに接続した吸水ホース、７は吸水ホース６の網目の細かいストレーナー、８は高圧ポンプ２に接続した余水ホース、９は高圧ポンプ２の吸水側にあって吸水口２ａの渇水状態をとらえるセンサー、１０はエンジン４を停止させるための停止装置で、センサー９がコード１１により接続されると共にエンジン４の始動時にはその始動を可能にするためにセンサー９からの渇水信号を数秒間キャンセルするタイマー１２を備えている。
【０００８】
なお、エンジン４は、点灯コイル仕様のもので、これにより供給される電気を利用して停止装置１０を作動し停止すると共にセンサー９の電源としても利用できるようになっている。
【０００９】
エンジン４を始動すると、すぐさまセンサー９から停止装置１０に渇水信号が入るが、タイマー１２が作動してこの渇水信号を数秒間（高圧ポンプ２のエア抜きの時間）キャンセルするので、エンジン４が駆動しつづけて高圧ポンプ２が回転する。後は、高圧ガン１を操作して洗浄作業を行う。
【００１０】
ストレーナー７が詰まって高圧ポンプ２への水の供給が不十分になったり，貯水槽５が空になって高圧ポンプ２の吸水が止まったりすると、高圧ポンプ２の吸水口２ａでの渇水状態をセンサー９がとらえて渇水信号を出すので、この渇水信号を受けて停止装置１０が作動しエンジン４を停止させる。よって、高圧ポンプ２の空回転が防止される。
【００１１】
上記実施例においてエンジン４を停止させる際には、センサー９が作動してからエンジン４が停止するまでのタイムラグをタイマー（図示せず）により数十秒（エンジン４が冷却しかつ高圧ポンプ２に空運転の悪影響のでない時間）設ける必要がある。その際、停止装置１０により電気的にエンジン４を停止するために、瞬間的にエンジン停止スイッチがオフしてもエンジン４が停止しきらないため接点にオフ状態を数秒設ける必要がある。
【００１２】
上記実施例において、水源は貯水槽５に限らないし、高圧洗浄機としては可搬式，設置式のいずれであっても良いは勿論である。
【実施例２】
【００１３】
本発明の他の実施例を図２を用いて説明する。図２は機構全体を概略装置的に示す図で、図中前記した実施例１と同一または相当部分には同一符号を付して説明を省略する。
図２において、１３は高圧ポンプ２を駆動するためのモータ、１４はモータ１３の電源で、タイマー１２の付いた入切スイッチ（図示せず）を備えている。
【００１４】
電源１４をスイッチオンしてモータ１３を始動すると、すぐさまセンサー９から電源１４に渇水信号が入るが、タイマー１２が作動してこの渇水信号を数秒間（高圧ポンプ２のエア抜きの時間）キャンセルするので、電源１４がスイッチオフにならずモータ１３が駆動しつづけて高圧ポンプ２が回転する。後は、高圧ガン１を操作して洗浄作業を行う。
【００１５】
ストレーナー７が詰まって高圧ポンプ２への水の供給が不十分になったり，貯水槽５が空になって高圧ポンプ２の吸水が止まったりすると、高圧ポンプ２の吸水口２ａでの渇水状態をセンサー９がとらえて渇水信号を出すので、この渇水信号を受けて電源１４がスイッチオフしモータ１３を停止させる。よって、高圧ポンプ２の空回転が防止される。
【実施例３】
【００１６】
本実施例は、上記実施例２に対して本機に貯水タンク１５を備えたもので、図３に示すように貯水タンク１５に対して高圧ポンプ２及びモータ１３がセットされている。なお、図示しないが、高圧ポンプ２の吸水口２ａには水源切換部を備えている。
【００１７】
このように貯水タンク１５を備えていると、水源切換部の切換操作により水源を貯水タンク１５と貯水槽５とに自在に切り換えることが可能になる。よって、当初は取り急ぎ貯水タンク１５で始めることも，そして水源のないところでも作業が可能になる。
【００１８】
いずれの場合もセンサー９の作動により、貯水タンク１５，貯水槽５の空による高圧ポンプ２の空回転が防止されることは勿論である。
【産業上の利用可能性】
【００１９】
本発明は、高圧洗浄機における高圧ポンプの空運転防止機構に広く活用できる。
【図面の簡単な説明】
【００２０】
【図１】本発明の実施例１を示すもので、機構全体を概略装置的に示す図である。
【図２】本発明の実施例２を示すもので、機構全体を概略装置的に示す図である。
【図３】本発明の実施例３を示すもので、機構全体を概略装置的に示す図である。
【符号の説明】
【００２１】
１：高圧ガン
２：高圧ポンプ
２ａ：吸水口
３：高圧ホース
４：エンジン
５：貯水槽
６：吸水ホース                  
７：ストレーナー
８：余水ホース
９：センサー
１０：停止装置
１１：コード
１２：タイマー
１３：モータ
１４：電源
１５：貯水タンク
【図１】
2006263628.tif 000003
【図２】
2006263628.tif 000004
【図３】
2006263628.tif 000005
【手続補正書】
【提出日】平成17年6月1日(2005.6.1)
【手続補正１】
【補正対象書類名】明細書
【補正対象項目名】０００８
【補正方法】変更
【補正の内容】
【０００８】
なお、エンジン４は、発電コイル仕様（点灯コイル、充電コイルの仕様のものを含む）のもので、これにより供給される電気を利用して停止装置１０を作動し停止すると共にセンサー９の電源としても利用できるようになっている。